(57)【要約】【課題】広い温度範囲で高精度なクロック信号を出力可能な、安価でかつコンパクトなサイズのクロック発生装置を提供する。【解決手段】クロック発生装置は、基準クロック信号を生成する基準クロック生成部１１と、第１のクロック信号を生成する第１の発振器１２と、前記第１のクロック信号を前記基準クロック信号と同周波数、同位相となるように補正した第２のクロック信号を生成する第１の精度保証部１３と、温度検知部１５と、第３のクロック信号を生成する第２の発振器１７と、前記第３のクロック信号を前記基準クロック信号と同周波数、同位相となるように補正した第４のクロック信号を生成する第２の精度保証部１８と、温度が第１の発振器１２の保証温度範囲内の場合には前記第２のクロック信号、保証温度範囲外の場合には前記第４のクロック信号を出力するクロック切替部２０と備える。【選択図】図１
2012060583.tif 000002
【特許請求の範囲】
【請求項１】
基準クロック信号を生成する基準クロック生成部と、
第１の保証温度範囲において動作が保証された、第１のクロック信号を生成する第１の発振器と、
前記第１のクロック信号を、前記基準クロック信号と同じ周波数、同じ位相となるように補正した第２のクロック信号を生成する第１の精度保証部と、
当該クロック発生装置近傍の温度を検知する温度検知部と、
前記第１の保証温度範囲よりも広い第２の保証温度範囲において動作が保証された、第３のクロック信号を生成する第２の発振器と、
前記第３のクロック信号を、前記基準クロック信号と同じ周波数、同じ位相となるように補正した第４のクロック信号を生成する第２の精度保証部と、
前記温度検知部によって取得した温度が、前記第１の保証温度範囲内である場合には前記第２のクロック信号を出力し、前記第１の保証温度範囲外である場合には前記第４のクロック信号を出力するクロック切替部と、
を備えることを特徴とするクロック発生装置。
【請求項２】
補正テーブル生成部を更に備え、
前記第１の精度保証部は、前記第１のクロック信号の前記基準クロック信号に対する第１の周波数偏差を検出し、
前記第２の精度保証部は、前記第３のクロック信号の前記基準クロック信号に対する第２の周波数偏差を検出し、
前記補正テーブル生成部は、前記温度検知部から取得した温度、前記第１の精度保証部から取得した前記第１の周波数偏差、及び前記第２の精度保証部から取得した前記第２の周波数偏差を対応付けた補正テーブルを生成し、
前記第１の精度保証部は、ホールドオーバー発生時に前記温度検知部により取得した温度が前記第１の保証温度範囲内である場合には、前記補正テーブルを参照して該取得した温度に対応する第１の周波数偏差を求め、該第１の周波数偏差を補償する補正を施して前記第２のクロック信号を生成し、
前記第２の精度保証部は、ホールドオーバー発生時に前記温度検知部により取得した温度が前記第１の保証温度範囲外である場合には、前記補正テーブルを参照して該取得した温度に対応する第２の周波数偏差を求め、該第２の周波数偏差を補償する補正を施して前記第４のクロック信号を生成する
ことを特徴とする、請求項１に記載のクロック発生装置。
【請求項３】
前記第１の精度保証部は、前記第１の周波数偏差を、前記補正テーブルに記憶された、前記取得した温度に最も近い温度に対応付けられた周波数偏差とし、
前記第２の精度保証部は、前記第２の周波数偏差を、前記補正テーブルに記憶された、前記取得した温度に最も近い温度に対応付けられた周波数偏差とする
ことを特徴とする、請求項２に記載のクロック発生装置。
【請求項４】
前記第１の精度保証部は、前記第１の周波数偏差を、前記補正テーブルに記憶された複数の周波数偏差の補間演算により求め、
前記第２の精度保証部は、前記第２の周波数偏差を、前記補正テーブルに記憶された複数の周波数偏差の補間演算により求める
ことを特徴とする、請求項２に記載のクロック発生装置。
【発明の詳細な説明】
【技術分野】
【０００１】
本発明は、温度に応じてクロック信号を切り替えて出力するクロック発生装置に関するものである。
【背景技術】
【０００２】
従来の無線基地局では、データ通信時に隣接する無線基地局との干渉を低減するために、各基地局はクロック発生装置を備え、基地局間でデータの送信タイミングの同期をとっている。データ通信速度が高速になるにつれて高い同期精度が要求されるため、クロック発生装置には高精度なクロック信号を供給可能なＯＣＸＯ（恒温槽付水晶発振器：Oven Controlled Crystal Oscillator）が実装されている。
【０００３】
ＯＣＸＯには、恒温槽内の温度を目標温度に安定させるまでの時間を短縮することが可能なものが知られている（例えば、特許文献１参照）。また、基準発振器及びＯＣＸＯ等の高精度発振器を使用し、高精度発振器を基準に出力用クロック信号の精度を高めるクロック信号出力装置が知られている（例えば、特許文献２参照）。
【先行技術文献】
【特許文献】
【０００４】
【特許文献１】特開２００７−２５９３４５号公報
【特許文献２】再表２００６／０９０８３１号公報
【発明の概要】
【発明が解決しようとする課題】
【０００５】
しかし、低温環境や高温環境でも確実に高精度なクロック信号を発生させるには、動作が保証されている温度範囲（以下、保証温度範囲という）が広いＯＣＸＯを使用する必要があり、このようなＯＣＸＯは非常に高価であるという問題があった。
【０００６】
また、特許文献１に記載のＯＣＸＯや特許文献２に記載のクロック信号出力装置を実装したとしても、保証温度範囲を広くすることは困難であり、基地局内部の雰囲気温度がＯＣＸＯの保証温度範囲を越えないように基地局を設計しなければならなかった。例えば、ＯＣＸＯの雰囲気温度からの影響を極力小さくするために、オーブン部分を２重化したり、高熱部分を分離して別の筐体内に収め、ＯＣＸＯを隔離したりしていた。そのため、基地局全体の構造が複雑となり、コスト及びサイズが増加するという問題があった。
【０００７】
本発明の目的は、上記問題を解決するため、広い温度範囲で高精度なクロック信号を出力可能な、安価でかつコンパクトなサイズのクロック発生装置を提供することにある。
【課題を解決するための手段】
【０００８】
上記課題を解決するため、本発明に係るクロック発生装置は、基準クロック信号を生成する基準クロック生成部と、第１の保証温度範囲において動作が保証された、第１のクロック信号を生成する第１の発振器（ＯＣＸＯ）と、前記第１のクロック信号を、前記基準クロック信号と同じ周波数、同じ位相となるように補正した第２のクロック信号（ＯＣＸＯ＿ｃｌｋ信号）を生成する第１の精度保証部（ＯＣＸＯ精度保証部）と、当該クロック発生装置近傍の温度を検知する温度検知部と、前記第１の保証温度範囲よりも広い第２の保証温度範囲において動作が保証された、第３のクロック信号を生成する第２の発振器（ＴＣＸＯ）と、前記第３のクロック信号を、前記基準クロック信号と同じ周波数、同じ位相となるように補正した第４のクロック信号（ＴＣＸＯ＿ｃｌｋ信号）を生成する第２の精度保証部（ＴＣＸＯ精度保証部）と、前記温度検知部によって取得した温度が、前記第１の保証温度範囲内である場合には前記第２のクロック信号を出力し、前記第１の保証温度範囲外である場合には前記第４のクロック信号を出力するクロック切替部と、を備えることを特徴とする。
【０００９】
また、本発明に係るクロック発生装置において、補正テーブル生成部を更に備え、前記第１の精度保証部は、前記第１のクロック信号の前記基準クロック信号に対する第１の周波数偏差を検出し、前記第２の精度保証部は、前記第３のクロック信号の前記基準クロック信号に対する第２の周波数偏差を検出し、前記補正テーブル生成部は、前記温度検知部から取得した温度、前記第１の精度保証部から取得した前記第１の周波数偏差、及び前記第２の精度保証部から取得した前記第２の周波数偏差を対応付けた補正テーブルを生成し、前記第１の精度保証部は、ホールドオーバー発生時に前記温度検知部により取得した温度が前記第１の保証温度範囲内である場合には、前記補正テーブルを参照して該取得した温度に対応する第１の周波数偏差を求め、該第１の周波数偏差を補償する補正を施して前記第２のクロック信号を生成し、前記第２の精度保証部は、ホールドオーバー発生時に前記温度検知部により取得した温度が前記第１の保証温度範囲外である場合には、前記補正テーブルを参照して該取得した温度に対応する第２の周波数偏差を求め、該第２の周波数偏差を補償する補正を施して前記第４のクロック信号を生成することを特徴とする。
【００１０】
また、本発明に係るクロック発生装置において、前記第１の精度保証部は、前記第１の周波数偏差を、前記補正テーブルに記憶された、前記取得した温度に最も近い温度に対応付けられた周波数偏差とし、前記第２の精度保証部は、前記第２の周波数偏差を、前記補正テーブルに記憶された、前記取得した温度に最も近い温度に対応付けられた周波数偏差とすることを特徴とする。
【００１１】
また、本発明に係るクロック発生装置において、前記第１の精度保証部は、前記第１の周波数偏差を、前記補正テーブルに記憶された複数の周波数偏差の補間演算により求め、前記第２の精度保証部は、前記第２の周波数偏差を、前記補正テーブルに記憶された複数の周波数偏差の補間演算により求めることを特徴とする。
【発明の効果】
【００１２】
本発明によれば、保証温度範囲の広くない安価な発振器を用い、雰囲気温度が該発振器の保証温度範囲外に至った場合には、保証温度範囲の広い発振器に切り替えることにより、広い温度範囲で高精度なクロック信号を出力可能な、安価でかつコンパクトなサイズのクロック発生装置を提供することができる。
【図面の簡単な説明】
【００１３】
【図１】本発明による一実施形態のクロック発生装置の構成を示すブロック図である。
【図２】本発明による一実施形態のクロック発生装置の補正テーブルの生成動作を示すフローチャートである。
【図３】本発明による一実施形態のクロック発生装置のクロックの切替動作を示すフローチャートである。
【図４】本発明による一実施形態のクロック発生装置のホールドオーバー発生時の動作を示すフローチャートである。
【発明を実施するための形態】
【００１４】
以下、本発明によるクロック発生装置の一実施形態について、図面を参照して詳細に説明する。
【００１５】
図１は、本発明による一実施形態のクロック発生装置の構成を示すブロック図である。本実施形態のクロック発生装置１は、基準クロック生成部１１と、ＯＣＸＯ１２と、ＯＣＸＯ精度保証部１３と、時刻取得部１４と、温度検知部１５と、補正テーブル生成部１６と、ＴＣＸＯ(温度保障型水晶発振器：Temperature Compensated Crystal Oscillator)１７と、ＴＣＸＯ精度保証部１８と、切替タイミング生成部１９と、クロック切替部２０とを備える。補正テーブル生成部１６は、ＯＣＸＯ補正テーブル１６１と、ＴＣＸＯ補正テーブル１６２とを備える。
【００１６】
基準クロック生成部１１は、ＧＰＳ（Global Positioning System)衛星の電波を受信して基準クロック信号（例えば、１ｐｐｓ信号）を生成し、ＯＣＸＯ精度保証部１３及びＴＣＸＯ精度保証部１８に出力する。なお、基準クロック信号は、ＩＥＥＥ１５８８などのネットワーク制御により生成してもよい。
【００１７】
ＯＣＸＯ１２は、保証温度範囲は広くない（例えば０℃〜７０℃）が、この保証温度範囲内において高精度なクロック信号を出力する恒温槽付水晶発振器である。クロック発生装置１は、ＧＰＳ衛星からの信号を捕捉できなくなる状態（この状態をホールドオーバーという）が発生してもクロック信号を提供できるように、ＯＣＸＯ１２により生成したクロックを使用する。なお、本実施形態ではＯＣＸＯを採用しているが、これに限定されるものではなく、定常状態の平均的な使用温度範囲における性能を満足する発振器であればよい。
【００１８】
ＯＣＸＯ精度保証部１３は、ＯＣＸＯ１２から入力されるクロック信号を分周し、基準クロック生成部１１から入力される基準クロック信号と同じ周波数、同じ位相となるように、周波数及び位相を補正したＯＣＸＯ_ｃｌｋ信号を生成し、ＯＣＸＯ_ｃｌｋ信号をクロック切替部２０に出力する。また、ＯＣＸＯ精度保証部１３は、ＯＣＸＯ１２の保証温度範囲での周波数偏差（周波数誤差）を検出し、周波数偏差を補正テーブル生成部１６に出力する。
【００１９】
時刻取得部１４は、例えば、内蔵された時計、ＧＰＳ衛星から送信されるＧＰＳ信号に含まれる時刻データ（ＵＴＣ時刻）等から時刻を取得し、取得した時刻を補正テーブル生成部１６に出力する。
【００２０】
温度検知部１５は、クロック発生装置１近傍の温度、好適にはＯＣＸＯ１２及びＴＣＸＯ１７近傍の温度を検知し、検知した温度を補正テーブル生成部１６、及び切替タイミング生成部１９に出力する。温度検知部１５は、例えば、接触式の白金測温抵抗体、サーミスタ、熱電対等、又は非接触式の放射温度計等によって構成される。
【００２１】
ＴＣＸＯ１７は、ＯＣＸＯ１２よりも保証温度範囲が広い（例えば−４０℃〜８５℃）が、ＯＣＸＯ１２よりも周波数偏差の大きな温度保障型水晶発振器である。なお、本実施形態ではＴＣＸＯを採用しているが、これに限定されるものではなく、通常的に使用される発振器であるＯＣＸＯ１２よりも保証温度範囲の広い発振器であればよい。
【００２２】
ＴＣＸＯ精度保証部１８は、ＴＣＸＯ１７から入力されるクロック信号を分周し、基準クロック生成部１１から入力される基準クロック信号と同じ周波数、同じ位相となるように、周波数及び位相を補正したＴＣＸＯ_ｃｌｋ信号を生成し、ＴＣＸＯ_ｃｌｋ信号をクロック切替部２０に出力する。また、ＴＣＸＯ１７の保証温度範囲での周波数偏差（周波数誤差）を検出し、周波数偏差を補正テーブル生成部１６に出力する。
【００２３】
補正テーブル生成部１６は、時刻取得部１４から入力される時刻、温度検知部１５から入力される温度、及びＯＣＸＯ精度保証部１３から入力される周波数偏差を対応付けたＯＣＸＯ補正テーブル１６１を生成し、記憶する。同様に、時刻取得部１４から入力される時刻、温度検知部１５から入力される温度、及びＴＣＸＯ精度保証部１８から入力される周波数偏差を対応付けたＴＣＸＯ補正テーブル１６２を生成し、記憶する。
【００２４】
切替タイミング生成部１９は、温度検知部１５から取得した温度がＯＣＸＯ１２の保証温度範囲内であるか否かを判定し、判定結果を示す切替信号をクロック切替部２０に出力する。
【００２５】
また、切替タイミング生成部１９は、温度検知部１５から取得した温度がＯＣＸＯ１２の保証温度範囲内であると判定した場合には、消費電力や放射ノイズを抑えるためにＴＣＸＯ１７の発振を停止させ、温度検知部１５から取得した温度がＯＣＸＯ１２の保証温度範囲外であると判定した場合にのみＴＣＸＯ１７を発振させるように制御してもよい。
【００２６】
クロック切替部２０は、切替タイミング生成部１９から入力される切替信号に従って、クロック信号の瞬断を発生させることなく、ＯＣＸＯ精度保証部１３から入力されるＯＣＸＯ_ｃｌｋ信号と、ＴＣＸＯ精度保証部１８から入力されるＴＣＸＯ_ｃｌｋ信号とを切り替えて、いずれか一方をクロック信号として出力する。すなわち、クロック切替部２０は、切替信号が、温度検知部１５から取得した温度がＯＣＸＯ１２の保証温度範囲内であることを示していた場合にはＯＣＸＯ_ｃｌｋ信号を出力し、ＯＣＸＯ１２の保証温度範囲外であることを示していた場合にはＴＣＸＯ_ｃｌｋ信号を出力する。クロック切替部２０は、信号を切り替える際には、位相シフト回路（図示せず）により、ＯＣＸＯ_ｃｌｋ信号とＴＣＸＯ_ｃｌｋ信号との位相を揃えてから出力する。
【００２７】
なお、ＯＣＸＯ補正テーブル１６１及びＴＣＸＯ補正テーブル１６２をまとめて一つの補正テーブルとしてもよく、その場合には、以下の説明における「ＯＣＸＯ補正テーブル１６１」を「補正テーブル内のＯＣＸＯ１２に関するテーブル」と、「ＴＣＸＯ補正テーブル１６２」を「補正テーブル内のＴＣＸＯ１７に関するテーブル」と読み替えるものとする。
【００２８】
図２は、クロック発生装置１の補正テーブル生成動作を示すフローチャートである。クロック発生装置１は、補正テーブル生成部１６により、温度検知部１５から温度を取得し（ステップＳ１０１）、時刻取得部１４から時刻を取得し（ステップＳ１０２）、ＯＣＸＯ精度保証部１３からＯＣＸＯ１２の周波数偏差を取得し（ステップＳ１０３）、これらを対応付けたＯＣＸＯ補正テーブル１６１を生成する（ステップＳ１０４）。同様に、クロック発生装置１は、補正テーブル生成部１６により、時刻取得部１４から時刻を取得し（ステップＳ１０１）、温度検知部１５から温度を取得し（ステップＳ１０２）、ＴＣＸＯ精度保証部１８からＴＣＸＯ１７の周波数偏差を取得し（ステップＳ１０３）、これらを対応付けたＴＣＸＯ補正テーブル１６２を生成する（ステップＳ１０４）。クロック発生装置１は、このような補正テーブル生成処理を所定の間隔で行う。
【００２９】
なお、クロック発生装置１は、ステップＳ１０１にて取得した温度がＯＣＸＯ１２の保証温度範囲内である場合にはＯＣＸＯ補正テーブル１６１のみを生成し、ＯＣＸＯ１２の保証温度範囲外である場合にはＴＣＸＯ補正テーブル１６２のみを生成してもよい。下記の表１に、ＯＣＸＯ補正テーブル１６１の一例を示す。
【００３０】
【表１】
2012060583.tif 000003
【００３１】
クロック発生装置１は、過去に近い温度におけるデータを取得している場合には、時刻及び周波数偏差を取得しないようにすることもできるが、周波数偏差はＯＣＸＯ１２、ＴＣＸＯ１７の使用時間、使用環境に応じて変化することも考えられるため、最新の周波数偏差を常に更新するのが好適である。クロック発生装置１は、ＴＣＸＯ１７の周波数偏差が大きい場合には、同一温度に対して複数回の周波数偏差を取得し、その平均値をＴＣＸＯ補正テーブル１６２に記憶するようにしてもよい。
【００３２】
図３は、クロック発生装置１のクロックの切替動作を示すフローチャートである。クロック発生装置１は、温度検知部１５により、温度を取得する（ステップＳ２０１）。そして、切替タイミング生成部１９により、ステップＳ２０１にて取得した温度がＯＣＸＯ１２の保証温度範囲内であるか否かを判定する（ステップＳ２０２）。
【００３３】
クロック発生装置１は、ステップＳ２０２にて取得した温度がＯＣＸＯ１２の保証温度範囲内でないと判定した場合には、ＴＣＸＯ精度保証部１８によりＴＣＸＯ_ｃｌｋ信号を生成し（ステップＳ２０３）、クロック切替部２０によりＴＣＸＯ_ｃｌｋ信号を出力する（ステップＳ２０４）。
【００３４】
一方、ステップＳ２０２にて取得した温度がＯＣＸＯ１２の保証温度範囲内であると判定した場合には、クロック発生装置１は、クロック切替部２０によりＯＣＸＯ_ｃｌｋ信号を出力する（ステップＳ２０５）。クロック発生装置１は、このようなクロックの切替処理を所定の間隔で行う。
【００３５】
図４は、クロック発生装置１のホールドオーバー発生時の動作を示すフローチャートである。クロック発生装置１は、基準クロック生成部１１により、ホールドオーバーが発生したか否かを検知する（ステップＳ３０１）。ホールドオーバーが発生した場合には、温度検知部１５により温度を取得する（ステップＳ３０２）。
【００３６】
ステップＳ３０２にて取得した温度がＯＣＸＯ１２の保証温度範囲内である場合には、クロック発生装置１はＯＣＸＯ精度保証部１３により、ＯＣＸＯ補正テーブル１６１を参照し、取得した温度に対応する周波数偏差を求める（ステップＳ３０３）。同様に、ステップＳ３０２にて取得した温度がＯＣＸＯ１２の保証温度範囲外である場合には、クロック発生装置１はＴＣＸＯ精度保証部１８により、ＴＣＸＯ補正テーブル１６２を参照し、取得した温度に対応する周波数偏差を求める（ステップＳ３０３）。
【００３７】
ＯＣＸＯ_ｃｌｋ信号は、基準クロック生成部１１からの基準クロック信号に同期させることができなくなると、ステップＳ３０３にて取得した周波数偏差分だけ誤差が生じていると考えられる。そこで、ステップＳ３０２にて取得した温度がＯＣＸＯ１２の保証温度範囲内である場合には、クロック発生装置１はＯＣＸＯ精度保証部１３により、ステップＳ３０３にて取得した周波数偏差を補償する補正を施したＯＣＸＯ_ｃｌｋ信号を生成し、クロック切替部２０によりクロック信号として出力する（ステップＳ３０４）。同様に、ステップＳ３０２にて取得した温度がＯＣＸＯ１２の保証温度範囲外である場合には、クロック発生装置１はＴＣＸＯ精度保証部１８により、ステップＳ３０３にて取得した周波数偏差を補償する補正を施したＴＣＸＯ_ｃｌｋ信号を生成し、クロック切替部２０によりクロック信号として出力する（ステップＳ３０４）。
【００３８】
ステップＳ３０３において、周波数偏差を求める方法は幾つか考えられる。第１の方法では、クロック発生装置１は、ＯＣＸＯ精度保証部１３又はＴＣＸＯ精度保証部１８により、ＯＣＸＯ補正テーブル１６１又はＴＣＸＯ補正テーブル１６２を参照し、ステップＳ３０２にて取得した温度に最も近い温度を検索し、該温度に対応付けられた周波数偏差を求める。検索した温度に近似する温度が複数記憶されている場合には、温度に対応付けられた時刻（日付）が一番最近である周波数偏差とする。
【００３９】
第２の方法では、クロック発生装置１は、ＯＣＸＯ精度保証部１３又はＴＣＸＯ精度保証部１８により、ＯＣＸＯ補正テーブル１６１又はＴＣＸＯ補正テーブル１６２を参照し、ステップＳ３０２にて取得した温度近辺の複数の温度を検索し、該温度に対応付けられた複数の周波数偏差を取得し、取得した複数の周波数偏差の補間演算（例えば、線形補間、又はラグランジュ補間、スプライン補間、ニュートン補間等の非線形補間による演算）により周波数偏差を求める。
【００４０】
このように、本実施形態のクロック発生装置１によれば、保証温度範囲の広くない安価なＯＣＸＯ１２を用い、雰囲気温度がＯＣＸＯ１２の保証温度範囲外に至った場合には、ＴＣＸＯ精度保証部１８が出力するクロック信号に切り替えることにより、広い温度範囲で高精度なクロック信号を出力することができる。かかるクロック発生装置１は、安価でかつコンパクトなサイズで提供することができる。
【００４１】
また、ホールドオーバーが発生した場合には、ＯＣＸＯ補正テーブル１６１又はＴＣＸＯ補正テーブル１６２を参照して周波数偏差を求めることにより、クロック信号の精度を保証することができる。温度検知部１５により取得した温度における周波数偏差が補正テーブルに記憶されていない場合でも、周波数偏差の近似値を用いることができる。特に、補正テーブルに記憶された複数の周波数偏差の補間演算を行うことで、精度の高い周波数偏差値を算出することができる。
【００４２】
上述の実施形態は、代表的な例として説明したが、本発明の趣旨及び範囲内で、多くの変更及び置換ができることは当業者に明らかである。従って、本発明は、上述の実施形態によって制限するものと解するべきではなく、特許請求の範囲から逸脱することなく、種々の変形や変更が可能である。例えば、補正テーブル生成部１６を備えず、温度に応じてＯＣＸＯ_ｃｌｋ信号とＴＣＸＯ_ｃｌｋ信号とを切り替えるのみの構成としてもよい。また、ＴＣＸＯ精度保証部１８は、雰囲気温度がＯＣＸＯ１２の保証温度範囲内であるか否かに関わらず、絶えずＴＣＸＯ_ｃｌｋ信号を出力するようにしてもよい。
【符号の説明】
【００４３】
１      クロック発生装置
１１    基準クロック生成部
１２    ＯＣＸＯ
１３    ＯＣＸＯ精度保証部
１４    時刻取得部
１５    温度検知部
１６    補正テーブル生成部
１６１  ＯＣＸＯ補正テーブル
１６２  ＴＣＸＯ補正テーブル
１７    ＴＣＸＯ
１８    ＴＣＸＯ精度保証部
１９    切替タイミング生成部
２０    クロック切替部
【図１】
2012060583.tif 000004
【図２】
2012060583.tif 000005
【図３】
2012060583.tif 000006
【図４】
2012060583.tif 000007